(57)【要約】【目的】本発明の目的は、一つの機器において温冷覚の検査をスイッチの切替え無しで容易に行うことができる温冷覚検査器具を提供するものである。【構成】温冷覚の有無を調べるために用いられる温冷覚検査器具１００において、ペルチェ素子１０２と、該ペルチェ素子１０２の低温側に密着した冷覚感知用伝熱板１０３と、前記ペルチェ素子１０２の高温側に密着した温覚感知用伝熱板１０４と、該温覚感知用伝熱板１０４に止着した放熱装置１０８からなることを特徴とする温冷覚検査器具。放熱装置としてファンとフィンを組み合わせて用いている。【選択図】図１
2004148005.tif 000002
【特許請求の範囲】
【請求項１】
温冷覚の有無を調べるために用いられる温冷覚検査器具において、ペルチェ素子と、該ペルチェ素子の低温側に密着した冷覚感知用伝熱板と、前記ペルチェ素子の高温側に密着した温覚感知用伝熱板と、該温覚感知用伝熱板に止着した放熱装置からなることを特徴とする温冷覚検査器具。
【請求項２】
前記放熱装置としてファンとフィンを組み合わせたことを特徴とする請求項１記載の温冷覚検査器具。
【発明の詳細な説明】
【０００１】
【産業上の利用分野】本発明は、医療用の温度感覚の有無を調べるために用いられる温度覚検査器具に関するものである。
【０００２】
【従来の技術】
従来から医療の現場では、神経疾患の患者に対して感覚障害を検査することは、神経疾患の症状を見る上で大変重要な事項であった。感覚障害の検査には、痛覚、温度覚、触覚などがある。このなかで、温度感覚の検査は、試験管またはフラスコに温湯と冷水を入れたものを用いて検査されてきた。温覚を検査する時は、温湯の入った試験管またはフラスコを患部に当て、また冷覚を検査するときは冷水の入った試験管またはフラスコを患部に当て、検査されてきた。
【０００３】
【発明が解決しようとする課題】
しかしながら、一般に温湯は４０〜４５℃ぐらい、冷水は１０℃ぐらいがよいとされているが、前記試験管またはフラスコに温湯と冷水を入れたものを用いて検査する温度覚検査方法では、すぐに温度が変化していしまうため、大きな試験管またはフラスコを用いなければならなかったうえに、温覚を検査する時と冷覚を検査する時で試験管またはフラスコを換えなければならず手間がかかっていた。
また、特開平８−２４３１０６のようなペルチェ素子の人体接触面を冷覚検査用に温度を下げて使用すっる器具があるが、温感はスイッチを切り替えてペルチェ素子に流れる電流を逆に流し検査面の温度が上昇するのを待たなければならなかった。このように、温度覚を検査するための温部と冷部を一つの装置で同時に作り出せる構造のものはなかった。
【０００４】
【特許文献１】
特開平８−２４３１０６号公報
【０００５】
本発明の目的は、上述した課題に鑑みてなされたものであり、一つの機器において温覚と冷覚の検査ができ、さらにスイッチの切替え無しで容易に行うことができる温度覚検査器具を提供するものである。
【０００６】
【課題を解決するための手段】
上述した課題を解決するために、本発明の温度覚の有無を調べるために用いられる温度覚検査器具は、ペルチェ素子と、該ペルチェ素子の低温側に密着した冷覚感知用伝熱板と、前記ペルチェ素子の高温側に密着した温覚感知用伝熱板と、該温覚感知用伝熱板に止着した放熱装置からなることを特徴としている。従って、冷覚感知用伝熱板がペルチェ素子により冷却されると同時に温覚感知用伝熱板が加熱され温度があがることにより、一つの機器で同時に低温部（冷覚感知用伝熱板）と高温部（温覚感知用伝熱板）をつくりだすことができ、スイッチの切替え作業をせずに冷覚と温覚を容易に検査することができる。
また、放熱装置としてファンとフィンを組み合わせたことを特徴としている。従って、冷覚感知用伝熱板を所定の温度に保った場合に、温覚感知用伝熱板の温度が上がりすぎることを防ぎ、予め決まられた所定の温度に保つことができる。
【０００７】
【実施の形態】
図１及び図２は本発明の実施の形態を示す図である。図１及び図２において、温冷覚検査器具１００は、温冷覚検査部１０１と、手で握るための取っ手部１１０により構成されている。温冷覚検査部１０１は略箱形のケース１１１と、ケース１１１に取り付けた温覚感知用伝熱板１０４と、温覚感知用伝熱板１０４に絶縁体１１２を介して取り付けた冷覚感知用伝熱板１０３と、冷覚感知用伝熱板１０３及び温覚感知用伝熱板１０４に挟持され接触したペルチェ素子１０２と、温覚感知用伝熱板１０４に止着されケース１１１内に収納された放熱装置としての放熱フィン１０８と、放熱フィン１０８に対置してケース１１１の外周部に取り付けた放熱ファン１０９からなっている。中空の取っ手部１１０はケース１１１に取り付けられている。従って、冷覚感知用伝熱板１０３はペルチェ素子１０２の低温側に密着し、温覚感知用伝熱板１０４はペルチェ素子の高温側に密着し、放熱装置１０８は温覚感知用伝熱板１０４に止着している。
【０００８】
ペルチェ素子１０２の冷却側に冷覚感知用伝熱板１０３が位置している。該冷覚感知用伝熱板１０３はペルチェ素子１０２により所定の温度に冷却され、腕や足等の患者の検査部に接触して冷覚を検査する。ペルチェ素子１０２の反対面にあるコの字形状の温覚感知用伝熱板１０４は温度が高温になる。コの字形状の略中央平坦部１０５がペルチェ素子に接触し、コの字形状の両側部１０６、１０７にペルチェ素子の熱が伝えられ温度が上がる。その両側部１０６及び１０７の２箇所で温感を検査できることにより、例えば親指を１０６に人差し指を１０７に接触させれば、温覚を同時に計ることができて温覚の比較ができることにより、診断をするために有用な情報を得ることができる。該温覚感知用伝熱板１０４はアルミニュームなどの熱伝導率の高い素材である。放熱フィン１０８は所定の温度を保ち温覚感知用伝熱板１０４の温度が上がり過ぎないように放熱している。
ファン１０９はフィンだけでは取り除くことができない熱を放熱し、さらに所定の温度に保つことができる。
取っ手１１０は断面形状が多角形で形成されており、その面は冷覚感知用伝熱板１０３及び温覚感知用伝熱板１０４の温冷覚検査面と平行になっている。この構成にすることにより指先だけの感覚で素早く取っ手１１０を回転させて、冷覚感知用伝熱板１０３又は温覚感知用伝熱板１０４の温冷覚検査面を検査部に瞬時に向けることができ、検査を素早く行うことができる。取っ手１１０の中空内は温度検査手段からのケーブルやぺルチェ素子やファンへの電源ケーブルを通すことができる。
【０００９】
【発明の効果】
請求項１の発明によれば、冷覚感知用伝熱板がペルチェ素子により冷却されると同時に温覚感知用伝熱板が加熱され温度があがることにより、一つの機器で同時に低温部（冷覚感知用伝熱板）と高温部（温覚感知用伝熱板）をつくりだすことができ、スイッチの切替え作業をせずに、冷覚と温覚を容易に検査することができる。
請求項２の発明によれば、フィンとファンを組み合わせることにより冷覚感知用伝熱板の温度を一定に保ったまま温覚感知用伝熱板の温度が上がり過ぎないように予め決まられた所定の温度に保つことができる。
【図面の簡単な説明】
【図１】本発明の実施の形態を示す一部断面の正面図である。
【図２】図１の側面図である。
【符号の説明】
１００  ・・・・温冷覚検査器具
１０２  ・・・・ペルチェ素子
１０３  ・・・・冷覚感知用伝熱板
１０４  ・・・・温覚感知用伝熱板
１０８  ・・・・フィン（放熱装置）
１０９  ・・・・ファン
【図１】
2004148005.tif 000003
【図２】
2004148005.tif 000004